(57)【特許請求の範囲】
【請求項１】
インターネットを利用する利用者の端末装置である複数のデータリンク起動側装置と、
前記データリンク起動側装置と回線交換網を介して接続され、該データリンク起動側装置とインターネット網間で送受信されるデータを中継する複数のデータリンク被起動側装置と、
前記複数のデータリンク被起動側装置がそれぞれ備える、前記インターネット網と接続するための論理リンクリソースの情報を一括管理し、前記データリンク起動側装置から前記データリンク被起動側装置へ新規な着呼があった場合は、空き論理リンクリソース及び該論理リンクリソースを備えたデータリンク被起動側装置を示す情報を前記新規な着呼があったデータリンク被起動側装置へ提供し、
ドーマント状態からアクティブ状態へ復帰した前記データリンク起動側装置から前記データリンク被起動側装置へ再着呼があった場合は、前記ドーマント状態になる前に該データリンク起動側装置に対応して確保されていた論理リンクリソース及び該論理リンクリソースを備えたデータリンク被起動側装置を示す情報を前記再着呼があったデータリンク被起動側装置へ提供し、
前記複数のデータリンク被起動側装置をグループ分けし、前記新規な着呼があったデータリンク被起動側装置に空き論理リンクリソースが無い場合は、該データリンク被起動側装置と同一グループ内のデータリンク被起動側装置の空き論理リンクリソースを示す情報を前記新規な着呼があったデータリンク被起動側装置へ提供するコネクション管理サーバ装置と、
を有する通信システム。
【請求項２】
前記データリンク被起動側装置は、
前記コネクション管理サーバ装置から自装置を示すデータリンク被起動側装置の情報及び自装置が備える論理リンクリソースの情報を受けとった場合は、該論理リンクリソースを使用して前記インターネット網へ接続し、
前記コネクション管理サーバ装置から自装置以外を示すデータリンク被起動側装置の情報及び該データリンク被起動側装置が備える論理リンクリソースの情報を受けとった場合は、該データリンク被起動側装置を中継して前記インターネット網へ接続する請求項１記載の通信システム。
【請求項３】
前記コネクション管理サーバ装置は、
前記データリンク起動側装置と前記インターネット網間のデータ通信が終了した場合、前記データリンク被起動側装置からの要求により、該データリンク被起動側装置が該データリンク起動側装置に対応して使用している論理リンクリソースを解放させる請求項１または２記載の通信システム。
【請求項４】
前記データリンク被起動側装置は、
前記データリンク起動側装置から新規な着呼があった場合は、前記データリンク起動側装置と前記回線交換網を介して接続するための物理リンクリソースを示す情報を含む論理リンク捕捉要求を前記コネクション管理サーバ装置へ送信し、
前記コネクション管理サーバ装置は、
前記物理リンクリソースを示す情報、前記空き論理リンクリソース、該空き論理リンクリソースを備えたデータリンク被起動側装置を示す情報、前記データリンク起動側装置から前記データリンク被起動側装置へ前記再着呼するときに使用する情報であるＣＩＤ、前記データリンク起動側装置と前記データリンク被起動側装置間で一定時間無通信状態のときに前記物理リンクリソースを解放させるための無通信監視タイマの値、及び前記ドーマント状態が一定時間続いたときに対応する論理リンクリソースを解放させるためのデータリンク保持タイマの値を含む論理リンク捕捉応答を該データリンク被起動側装置へ返送する請求項１乃至３のいずれか１項記載の通信システム。
【請求項５】
前記データリンク被起動側装置は、
前記データリンク起動側装置から前記データリンク被起動側装置へ前記再着呼があった場合は、前記物理リンクリソースを示す情報及び前記ＣＩＤを含む論理リンク検索要求を前記コネクション管理サーバ装置へ送信し、
前記コネクション管理サーバ装置は、
前記物理リンクリソースを示す情報、前記空き論理リンクリソース、該空き論理リンクリソースを備えたデータリンク被起動側装置を示す情報、前記ＣＩＤ、
前記無通信監視タイマの値、及び前記データリンク保持タイマの値を含む論理リンク捕捉応答を該データリンク被起動側装置へ返送する請求項４記載の通信システム。
【請求項６】
インターネットを利用する利用者の端末装置である複数のデータリンク起動側装置と、
前記データリンク起動側装置と回線交換網を介して接続され、該データリンク起動側装置とインターネット網間で送受信されるデータを中継する複数のデータリンク被起動側装置と、
を備えた通信システムのドーマント機能を管理するためのコネクション管理サーバ装置であって、
前記複数のデータリンク被起動側装置がそれぞれ備える、前記インターネット網と接続するための論理リンクリソースの情報を蓄積するためのデータ蓄積装置と、
前記データリンク起動側装置から前記データリンク被起動側装置へ新規な着呼があった場合は、空き論理リンクリソース及び該論理リンクリソースを備えたデータリンク被起動側装置を示す情報を前記新規な着呼があったデータリンク被起動側装置へ提供し、
ドーマント状態からアクティブ状態へ復帰した前記データリンク起動側装置から前記データリンク被起動側装置へ再着呼があった場合は、前記ドーマント状態になる前に該データリンク起動側装置に対応して確保されていた論理リンクリソース及び該論理リンクリソースを備えたデータリンク被起動側装置を示す情報を前記再着呼があったデータリンク被起動側装置へ提供し、
前記複数のデータリンク被起動側装置をグループ分けし、前記新規な着呼があったデータリンク被起動側装置に空き論理リンクリソースが無い場合は、該データリンク被起動側装置と同一グループ内のデータリンク被起動側装置の空き論理リンクリソースを示す情報を前記新規な着呼があったデータリンク被起動側装置へ提供する処理装置と、
を有するコネクション管理サーバ装置。
【請求項７】
前記処理装置は、
前記データリンク起動側装置と前記インターネット網間のデータ通信が終了した場合、前記データリンク被起動側装置からの要求により、該データリンク被起動側装置が該データリンク起動側装置に対応して使用している論理リンクリソースを解放させる請求項６記載のコネクション管理サーバ装置。
【請求項８】
前記処理装置は、
前記データリンク起動側装置と前記回線交換網を介して接続するための物理リンクリソースを示す情報を含む論理リンク捕捉要求を前記データリンク被起動側装置から受信した場合に、
前記物理リンクリソースを示す情報、前記空き論理リンクリソース、該空き論理リンクリソースを備えたデータリンク被起動側装置を示す情報、前記データリンク起動側装置から前記データリンク被起動側装置へ前記再着呼するときに使用する情報であるＣＩＤ、前記データリンク起動側装置と前記データリンク被起動側装置間で一定時間無通信状態のときに前記物理リンクリソースを解放させるための無通信監視タイマの値、及び前記ドーマント状態が一定時間続いたときに対応する論理リンクリソースを解放させるためのデータリンク保持タイマの値を含む論理リンク捕捉応答を返送する請求項６または７記載のコネクション管理サーバ装置。
【請求項９】
前記処理装置は、
前記物理リンクリソースを示す情報及び前記ＣＩＤを含む論理リンク検索要求を前記データリンク被起動側装置から受信した場合に、
前記物理リンクリソースを示す情報、前記空き論理リンクリソース、該空き論理リンクリソースを備えたデータリンク被起動側装置を示す情報、前記ＣＩＤ、前記無通信監視タイマの値、及び前記データリンク保持タイマの値を含む論理リンク捕捉応答を返送する請求項８記載のコネクション管理サーバ装置。
【請求項１０】
インターネットを利用する利用者の端末装置である複数のデータリンク起動側装置と、
前記データリンク起動側装置と回線交換網を介して接続され、該データリンク起動側装置とインターネット網間で送受信されるデータを中継する複数のデータリンク被起動側装置と、
を備えた通信システムのドーマント機能を管理するための処理をコンピュータに実行させるためのプログラムであって、
前記データリンク起動側装置から前記データリンク被起動側装置へ新規な着呼があった場合は、空き論理リンクリソース及び該論理リンクリソースを備えたデータリンク被起動側装置を示す情報を前記新規な着呼があったデータリンク被起動側装置へ提供させ、
ドーマント状態からアクティブ状態へ復帰した前記データリンク起動側装置から前記データリンク被起動側装置へ再着呼があった場合は、前記ドーマント状態になる前に該データリンク起動側装置に対応して確保されていた論理リンクリソース及び該論理リンクリソースを備えたデータリンク被起動側装置を示す情報を前記再着呼があったデータリンク被起動側装置へ提供させ、
前記複数のデータリンク被起動側装置をグループ分けさせ、前記新規な着呼があったデータリンク被起動側装置に空き論理リンクリソースが無い場合は、該データリンク被起動側装置と同一グループ内のデータリンク被起動側装置の空き論理リンクリソースを示す情報を前記新規な着呼があったデータリンク被起動側装置へ提供させる処理をコンピュータに実行させるためのプログラム。
【請求項１１】
前記データリンク起動側装置と前記インターネット網間のデータ通信が終了した場合、前記データリンク被起動側装置からの要求により、該データリンク被起動側装置が該データリンク起動側装置に対応して使用している論理リンクリソースを解放させる処理をコンピュータに実行させるための請求項１０記載のプログラム。
【請求項１２】
前記データリンク起動側装置と前記回線交換網を介して接続するための物理リンクリソースを示す情報を含む論理リンク捕捉要求を前記データリンク被起動側装置から受信した場合に、
前記物理リンクリソースを示す情報、前記空き論理リンクリソース、該空き論理リンクリソースを備えたデータリンク被起動側装置を示す情報、前記データリンク起動側装置から前記データリンク被起動側装置へ前記再着呼するときに使用する情報であるＣＩＤ、前記データリンク起動側装置と前記データリンク被起動側装置間で一定時間無通信状態のときに前記物理リンクリソースを解放させるための無通信監視タイマの値、及び前記ドーマント状態が一定時間続いたときに対応する論理リンクリソースを解放させるためのデータリンク保持タイマの値を含む論理リンク捕捉応答を返送させる処理をコンピュータに実行させるための請求項１０または１１記載のプログラム。
【請求項１３】
前記物理リンクリソースを示す情報及び前記ＣＩＤを含む論理リンク検索要求を前記データリンク被起動側装置から受信した場合に、
前記物理リンクリソースを示す情報、前記空き論理リンクリソース、該空き論理リンクリソースを備えたデータリンク被起動側装置を示す情報、前記ＣＩＤ、前記無通信監視タイマの値、及び前記データリンク保持タイマの値を含む論理リンク捕捉応答を返送させる処理をコンピュータに実行させるための請求項１２記載のプログラム。
【発明の詳細な説明】
【０００１】
【発明の属する技術分野】
本発明はドーマント管理機能を備えた通信システム及びコネクション管理サーバ装置に関する。
【０００２】
【従来の技術】
近年、インターネット利用の急激な増大に伴って既存のリモートアクセスサーバ装置（以下、ＲＡＳ(Remote Access Server)装置と称す）の接続容量不足によりダイヤルアップ接続サービスが提供できない問題が発生している。
【０００３】
そのような問題に対処するため、インターネットを利用する利用者の端末装置であるデータリンク起動側装置の動作休止時（以下、ドーマント状態と称す）に、データリンク被起動側装置（上記ＲＡＳ装置）との回線接続を切断し、データリンク起動側装置の動作再開時（アクティブ状態）にデータリンク被起動側装置との回線を再接続するドーマント機能を備えた通信システムが提案されている。
【０００４】
なお、ドーマント機能は、例えば、ＭＩＴＦダイヤルアップ・ドーマント・プロトコル(ARIB (Association of Radio Industries and Businesses) STD-T78 1.0版)にしたがって実現される。
【０００５】
【発明が解決しようとする課題】
上述したＭＩＴＦダイヤルアップ・ドーマント・プロトコルを採用した通信システムでは、ドーマント状態にある呼の回線交換網のリソース（以下、物理リンクリソース）が解放されるため、ＲＡＳ装置の接続容量不足による問題が軽減される。
【０００６】
しかしながら、上記ARIB STD-T78 にしたがうと、ドーマント状態であっても、ＲＡＳ装置が有する、ＲＡＳ装置とＩＳＰ（Internet Service Provider）等が管理するＷｅｂサーバ装置やＭａｉｌサーバ装置とを接続するためのインターネット網のリソース（以下、論理リンクリソースと称す）は解放されずに保持されるため、ドーマント状態の呼が多数存在すると、新たな呼で論理リンクリソース不足が生じ、呼損が発生する問題があった。
【０００７】
本発明は上記したような従来の技術が有する問題点を解決するためになされたものであり、論理リンクリソース不足による呼損の発生を低減できるドーマント管理機能を備えた通信システム及びコネクション管理サーバ装置を提供することを目的とする。
【０００８】
【課題を解決するための手段】
上記目的を達成するため本発明の通信システムは、インターネットを利用する利用者の端末装置である複数のデータリンク起動側装置と、
前記データリンク起動側装置と回線交換網を介して接続され、該データリンク起動側装置とインターネット網間で送受信されるデータを中継する複数のデータリンク被起動側装置と、
前記複数のデータリンク被起動側装置がそれぞれ備える、前記インターネット網と接続するための論理リンクリソースの情報を一括管理し、前記データリンク起動側装置から前記データリンク被起動側装置へ新規な着呼があった場合は、空き論理リンクリソース及び該論理リンクリソースを備えたデータリンク被起動側装置を示す情報を前記新規な着呼があったデータリンク被起動側装置へ提供し、
ドーマント状態からアクティブ状態へ復帰した前記データリンク起動側装置から前記データリンク被起動側装置へ再着呼があった場合は、前記ドーマント状態になる前に該データリンク起動側装置に対応して確保されていた論理リンクリソース及び該論理リンクリソースを備えたデータリンク被起動側装置を示す情報を前記再着呼があったデータリンク被起動側装置へ提供し、
前記複数のデータリンク被起動側装置をグループ分けし、前記新規な着呼があったデータリンク被起動側装置に空き論理リンクリソースが無い場合は、該データリンク被起動側装置と同一グループ内のデータリンク被起動側装置の空き論理リンクリソースを示す情報を前記新規な着呼があったデータリンク被起動側装置へ提供するコネクション管理サーバ装置と、
を有する構成である。
【０００９】
このとき、前記データリンク被起動側装置は、
前記コネクション管理サーバ装置から自装置を示すデータリンク被起動側装置の情報及び自装置が備える論理リンクリソースの情報を受けとった場合は、該論理リンクリソースを使用して前記インターネット網へ接続し、
前記コネクション管理サーバ装置から自装置以外を示すデータリンク被起動側装置の情報及び該データリンク被起動側装置が備える論理リンクリソースの情報を受けとった場合は、該データリンク被起動側装置を中継して前記インターネット網へ接続してもよい。
【００１０】
また、前記コネクション管理サーバ装置は、
前記データリンク起動側装置と前記インターネット網間のデータ通信が終了した場合、前記データリンク被起動側装置からの要求により、該データリンク被起動側装置が該データリンク起動側装置に対応して使用している論理リンクリソースを解放させてもよい。
【００１１】
さらに、前記データリンク被起動側装置は、
前記データリンク起動側装置から新規な着呼があった場合は、前記データリンク起動側装置と前記回線交換網を介して接続するための物理リンクリソースを示す情報を含む論理リンク捕捉要求を前記コネクション管理サーバ装置へ送信し、
前記コネクション管理サーバ装置は、
前記物理リンクリソースを示す情報、前記空き論理リンクリソース、該空き論理リンクリソースを備えたデータリンク被起動側装置を示す情報、前記データリンク起動側装置から前記データリンク被起動側装置へ前記再着呼するときに使用する情報であるＣＩＤ、前記データリンク起動側装置と前記データリンク被起動側装置間で一定時間無通信状態のときに前記物理リンクリソースを解放させるための無通信監視タイマの値、及び前記ドーマント状態が一定時間続いたときに対応する論理リンクリソースを解放させるためのデータリンク保持タイマの値を含む論理リンク捕捉応答を該データリンク被起動側装置へ返送してもよく、
前記データリンク被起動側装置は、
前記データリンク起動側装置から前記データリンク被起動側装置へ前記再着呼があった場合は、前記物理リンクリソースを示す情報及び前記ＣＩＤを含む論理リンク検索要求を前記コネクション管理サーバ装置へ送信し、
前記コネクション管理サーバ装置は、
前記物理リンクリソースを示す情報、前記空き論理リンクリソース、該空き論理リンクリソースを備えたデータリンク被起動側装置を示す情報、前記ＣＩＤ、前記無通信監視タイマの値、及び前記データリンク保持タイマの値を含む論理リンク捕捉応答を該データリンク被起動側装置へ返送してもよい。
【００１２】
一方、本発明のコネクション管理サーバ装置は、インターネットを利用する利用者の端末装置である複数のデータリンク起動側装置と、
前記データリンク起動側装置と回線交換網を介して接続され、該データリンク起動側装置とインターネット網間で送受信されるデータを中継する複数のデータリンク被起動側装置と、
を備えた通信システムのドーマント機能を管理するためのコネクション管理サーバ装置であって、
前記複数のデータリンク被起動側装置がそれぞれ備える、前記インターネット網と接続するための論理リンクリソースの情報を蓄積するためのデータ蓄積装置と、
前記データリンク起動側装置から前記データリンク被起動側装置へ新規な着呼があった場合は、空き論理リンクリソース及び該論理リンクリソースを備えたデータリンク被起動側装置を示す情報を前記新規な着呼があったデータリンク被起動側装置へ提供し、
ドーマント状態からアクティブ状態へ復帰した前記データリンク起動側装置から前記データリンク被起動側装置へ再着呼があった場合は、前記ドーマント状態になる前に該データリンク起動側装置に対応して確保されていた論理リンクリソース及び該論理リンクリソースを備えたデータリンク被起動側装置を示す情報を前記再着呼があったデータリンク被起動側装置へ提供し、
前記複数のデータリンク被起動側装置をグループ分けし、前記新規な着呼があったデータリンク被起動側装置に空き論理リンクリソースが無い場合は、該データリンク被起動側装置と同一グループ内のデータリンク被起動側装置の空き論理リンクリソースを示す情報を前記新規な着呼があったデータリンク被起動側装置へ提供する処理装置と、
を有する構成である。
【００１３】
このとき、前記処理装置は、前記データリンク起動側装置と前記インターネット網間のデータ通信が終了した場合、前記データリンク被起動側装置からの要求により、該データリンク被起動側装置が該データリンク起動側装置に対応して使用している論理リンクリソースを解放させてもよい。
【００１４】
また、前記処理装置は、
前記データリンク起動側装置と前記回線交換網を介して接続するための物理リンクリソースを示す情報を含む論理リンク捕捉要求を前記データリンク被起動側装置から受信した場合に、
前記物理リンクリソースを示す情報、前記空き論理リンクリソース、該空き論理リンクリソースを備えたデータリンク被起動側装置を示す情報、前記データリンク起動側装置から前記データリンク被起動側装置へ前記再着呼するときに使用する情報であるＣＩＤ、前記データリンク起動側装置と前記データリンク被起動側装置間で一定時間無通信状態のときに前記物理リンクリソースを解放させるための無通信監視タイマの値、及び前記ドーマント状態が一定時間続いたときに対応する論理リンクリソースを解放させるためのデータリンク保持タイマの値を含む論理リンク捕捉応答を返送してもよく、
前記物理リンクリソースを示す情報及び前記ＣＩＤを含む論理リンク検索要求を前記データリンク被起動側装置から受信した場合に、
前記物理リンクリソースを示す情報、前記空き論理リンクリソース、該空き論理リンクリソースを備えたデータリンク被起動側装置を示す情報、前記ＣＩＤ、前記無通信監視タイマの値、及び前記データリンク保持タイマの値を含む論理リンク捕捉応答を返送してもよい。
【００１５】
上記のように構成された通信システムでは、複数のデータリンク被起動側装置がそれぞれ備える論理リンクリソースの情報を一括管理し、データリンク起動側装置からデータリンク被起動側装置へ新規な着呼があった場合は、空いている論理リンクリソース及び該論理リンクリソースを備えたデータリンク被起動側装置を示す情報を新規な着呼があったデータリンク被起動側装置へ提供し、ドーマント状態からアクティブ状態へ復帰したデータリンク起動側装置からデータリンク被起動側装置へ再着呼があった場合は、ドーマント状態になる前に該データリンク起動側装置に対応して確保されていた論理リンクリソース及び該論理リンクリソースを備えたデータリンク被起動側装置を示す情報を再着呼があったデータリンク被起動側装置へ提供するコネクション管理サーバ装置を有することで、データリンク起動側装置から論理リンクリソースの空きがないデータリンク被起動側装置へ着呼しても、コネクション管理サーバ装置から提供される情報により空き論理リンクリソースのあるデータリンク被起動側装置を介してインターネット網へ接続することが可能になる。
【００１６】
特に、複数のデータリンク被起動側装置をグループ分けし、データリンク起動側装置からデータリンク被起動側装置へ新規な着呼があった場合は、該データリンク被起動側装置が空いている論理リンクリソースを備えていないときに、新規な着呼があったデータリンク被起動側装置と同一グループ内の空いている論理リンクリソース及び該論理リンクリソースを備えたデータリンク被起動側装置を示す情報を新規な着呼があったデータリンク被起動側装置へ提供することで、グループ内で論理リンクリソースを共有することができる。
【００１７】
【発明の実施の形態】
次に本発明について図面を参照して説明する。
【００１８】
本実施形態の通信システムは、複数のＲＡＳ装置、及びそれらが備える論理リンクリソースを一括管理するコネクション管理サーバ装置を有し、コネクション管理サーバ装置により各ＲＡＳ装置の論理リンクリソースの捕捉・検索・解放を制御する構成である。
【００１９】
図１は本発明の通信システムの一構成例を示すブロック図であり、図２は図１に示したコネクション管理サーバ装置の一構成例を示すブロック図である。また、図３は図１に示したコネクション管理サーバ装置が有するデータ蓄積装置に記録される情報の一構成例を示す模式図である。
【００２０】
図１に示すように、本発明の通信システムは、インターネットを利用する利用者が所有する複数の端末装置１1〜１m（ｍは正の整数）と、端末装置１1〜１mと回線交換網５を介して接続される複数のＲＡＳ装置２1〜２n（ｎは正の整数）と、ＲＡＳ装置２1〜２nとインターネット網６を介して接続される、Ｗｅｂサーバ装置やＭａｉｌサーバ装置である複数のＩＳＰサーバ装置３と、ＲＡＳ装置２1〜２nがそれぞれ備える論理リンクリソースを一括管理するコネクション管理サーバ装置４とを有する構成である。なお、ＲＡＳ装置２1〜２nとコネクション管理サーバ装置４とはシステム管理業者等が構築したＬＡＮ（Local Area Network）を介して接続される構成であってもよい。また、図１ではインターネット網６に１台のＩＳＰサーバ装置３が接続された構成を示しているが、実際には多数のＩＳＰサーバ装置３がインターネット網６に接続される。
【００２１】
ＲＡＳ装置２1〜２n、ＩＳＰサーバ装置３、コネクション管理サーバ装置４は、例えば、ワークステーション・サーバコンピュータ等の情報処理装置であり、端末装置１1〜１mは、回線交換網５に対する接続機能を備えたパーソナルコンピュータ等の情報処理装置である。コネクション管理サーバ装置４は、本発明の通信システムを管理するシステム管理業者、またはその会社に運営を委託された第三者によって管理される。
【００２２】
端末装置１1〜１mは、ＲＡＳ装置２1〜２nのいずれかに回線交換網５を介してダイヤルアップ接続することでインターネット網６にアクセス可能であり、ＲＡＳ装置２1〜２nを介してＩＳＰサーバ装置３に接続される。
【００２３】
ＲＡＳ装置２1〜２nは、回線交換網５及びインターネット網６を介して端末装置１1〜１mとＩＳＰサーバ装置３間で送受信されるデータを中継すると共に、上述したＭＩＴＦダイヤルアップ・ドーマント・プロトコルにしたがった所定のドーマント管理処理を実行する。ＲＡＳ装置２1〜２nは、例えば、それぞれが有する論理リンクリソース数に応じてグループ分けされ、該グループ単位で管理される。
【００２４】
図２に示すように、コネクション管理サーバ装置４は、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００２５】
処理装置１０は、ＣＰＵ１１と、ＣＰＵ１１の処理に必要な情報を一時的に記憶する主記憶装置１２と、ＣＰＵ１１にＲＡＳ装置２1〜２nが備えた論理リンクリソースをそれぞれ管理させるための制御プログラムが記録された記録媒体１３と、ＲＡＳ装置２1〜２nが備える論理リンクリソースを管理するためのＲＡＳ毎リンクリソース情報、及びＲＡＳ装置２1〜２nの状態等を管理するためのＲＡＳ管理情報とが記録されるデータ蓄積装置１４と、主記憶装置１２、記録媒体１３、及びデータ蓄積装置１４とのデータ転送を制御するメモリ制御インタフェース部１５と、入力装置２０及び出力装置３０とのインタフェース装置であるＩ／Ｏインタフェース部１６と、ＲＡＳ装置２1〜２nとの通信を制御するインタフェースである通信制御装置１７とを備え、それらがバス１８を介して接続された構成である。
【００２６】
処理装置１０は、記録媒体１３に記録された制御プログラムにしたがって以下に記載するコネクション管理サーバ装置４の処理を実行する。なお、記録媒体１３は、磁気ディスク、半導体メモリ、光ディスクあるいはその他の記録媒体であってもよい。
【００２７】
なお、ＲＡＳ装置２1〜２n及びＩＳＰサーバ装置３は、記録媒体１３及びデータ蓄積装置１４に記録されるプログラムやデータが異なることを除けば、それぞれコネクション管理サーバ装置４と同様の構成である。また、端末装置１1〜１mも、上述したように記録媒体１３及びデータ蓄積装置１４に記録されるプログラムやデータが異なることを除けば、基本的にコネクション管理サーバ装置４と同様の構成である。したがって、ここでは、これらの構成の説明は省略する。
【００２８】
図３に示すように、コネクション管理サーバ装置４が有するデータ蓄積装置には、各ＲＡＳ装置２1〜２nが備える論理リンクリソース情報（物理リンク番号、発信電話番号、論理リンク番号、ＣＩＤ、無通信監視タイマ、データリンク保持タイマ、ＲＡＳ装置２1〜２nが予めグループ分けされている場合は、ＲＡＳグルーピング番号等）と、ＲＡＳ管理情報（ＲＡＳの実装数、ＲＡＳ毎の論理リンク数、ＲＡＳ装置２1〜２nが予めグループ分けされている場合は、そのＲＡＳグルーピング情報等）とが記録される。
【００２９】
ここで、論理リンクリソース情報に含まれる物理リンク番号はＲＡＳ装置が回線交換網を介して端末装置と接続する際に用いるモデムの番号であり、発信電話番号は端末装置が用いる電話番号である。また、論理リンク番号はＲＡＳ装置がインターネット網６を介してＩＳＰサーバ装置３と接続する際に用いるインタフェースの番号であり、ＣＩＤは、ARIB STD-T78 で定義された、各リソースに対して一意に付与される、端末装置からＲＡＳ装置へ再着呼するときに使用する情報である。また、ＲＡＳグルーピング番号は、ＲＡＳグルーピング情報に割り当てられた番号である。無通信監視タイマ及びデータリンク保持タイマはARIB STD-T78で定義されたタイマであり、無通信監視タイマは端末装置１で使用され、データリンク保持タイマはＲＡＳ装置で使用される。無通信監視タイマは端末装置とＲＡＳ装置間で一定時間無通信状態のときに物理リンクリソースを解放させるために使用され、データリンク保持タイマはドーマント状態が一定時間続いたときに対応する論理リンクリソースを解放させるために使用される。
【００３０】
本実施形態では、これら無通信監視タイマ及びデータリンク保持タイマをコネクション管理サーバ装置４で一括して管理し、ＲＡＳ装置２1〜２nにそれぞれ最適値を供給する。
【００３１】
一方、ＲＡＳ管理情報に含まれるＲＡＳの実装数は通信システム内に有するＲＡＳ装置２1〜２nの数であり、ＲＡＳ毎の論理リンク数は各ＲＡＳ装置２1〜２nが備える論理リンクリソース数である。また、ＲＡＳグルーピング情報は、各グループ毎にＲＡＳ装置の論理ＲＡＳ番号や論理チャネル数等を備え、着呼したＲＡＳ装置に空き論理リンクリソースが無い場合に、空き論理リンクリソースを有するＲＡＳ装置を検索するために用いられる、グループを識別するための情報である。
【００３２】
ＲＡＳ装置は、回線交換網５を介して端末装置から新規の着呼があると、コネクション管理サーバ装置４に対して論理リンクリソースを確保するための論理リンク捕捉要求を送信する。
【００３３】
コネクション管理サーバ装置４は、ＲＡＳ装置から論理リンク捕捉要求を受けとると、ＲＡＳ毎論理リンクリソース情報を参照して当該ＲＡＳ装置の空き論理リンクリソースを補足し、補足した空き論理リンクリソースの情報（論理リンク番号）を含む論理リンク捕捉応答を返送する。
【００３４】
自装置の論理ＲＡＳ番号を含む論理リンク捕捉応答を受けとったＲＡＳ装置は、指定された論理リンクリソースを使用して端末装置とＩＳＰサーバ装置３間のデータ通信を中継する。
【００３５】
論理リンク捕捉要求を送信したＲＡＳ装置に論理リンクリソースの空きがない場合、コネクション管理サーバ装置４は、論理リンク捕捉要求を送信したＲＡＳ装置の論理ＲＡＳ番号を用いてＲＡＳ管理情報を検索し、該ＲＡＳ装置と同一グループに属する他のＲＡＳ装置のＲＡＳ毎論理リンクリソース情報を参照し、当該グループ内に論理リンクリソースの空きがあるか否かを検索する。論理リンクリソースの空きがある場合はその論理リンクリソースを捕捉し、捕捉した空き論理リンクリソースの情報（論理ＲＡＳ番号及び論理リンク番号）を含む論理リンク捕捉応答を返送する。
【００３６】
自装置以外の論理ＲＡＳ番号を含む論理リンク捕捉応答を受けとったＲＡＳ装置は、論理ＲＡＳ番号で指定されたＲＡＳ装置との間でＲＡＳ間通信を行い、該ＲＡＳ装置を介して端末装置とＩＳＰサーバ装置３間のデータ通信を中継する。なお、コネクション管理サーバ装置４は、先に論理リンク捕捉要求を送信したＲＡＳ装置から優先的に論理リンクリソースの捕捉を行う。
【００３７】
論理リンク捕捉要求には、ＲＡＳ装置が使用する物理リンク番号、端末装置の発信電話番号、交換機やＲＡＳ装置の着信電話番号等の情報が含まれる。また、論理リンク捕捉応答には、物理リンク番号、発信電話番号、論理ＲＡＳ番号、論理リンク番号、ＣＩＤ、無通信監視タイマ、データリンク保持タイマ等が含まれる。
【００３８】
また、端末装置がドーマント状態からアクティブ状態に復帰し、回線交換網５を介してＲＡＳ装置へ再着呼すると、該ＲＡＳ装置はコネクション管理サーバ装置４に対してドーマント状態以前に使用していた論理リンクリソースを検索するための論理リンク検索要求を送信する。このとき、論理リンク検索要求には論理リンク捕捉応答で通知されたＣＩＤ（ARIB STD-T78 中の CID）を含めて送信する。
【００３９】
ドーマント状態にあった端末装置がＲＡＳ装置へ再接続する場合、ドーマント状態以前に呼を確立していたＲＡＳ装置へ再び着呼するとは限らない。したがって、端末装置から再接続されたＲＡＳ装置は、端末装置がドーマント状態以前に使用していた論理リンクリソースの情報をコネクション管理サーバ装置４から取得する。
【００４０】
コネクション管理サーバ装置４は、ＲＡＳ装置から論理リンク検索要求を受けとると、該論理リンク検索要求に含まれるＣＩＤ（ARIB STD-T78 中の CID）を用いてＲＡＳ毎論理リンクリソース情報を検索し、該ＣＩＤに一致する論理リンクリソースを抽出する。そして、抽出した論理リンクリソースの情報（論理ＲＡＳ番号及び論理リンク番号）を含む論理リンク検索応答を返送する。
【００４１】
論理リンク検索応答を受けとったＲＡＳ装置は、論理リンク検索応答に含まれる論理ＲＡＳ番号が自装置に対応する場合は、受けとった論理リンク番号の論理リンクリソースを用いて端末装置とＩＳＰサーバ装置３間のデータ通信を中継する。一方、論理リンク検索応答に含まれる論理ＲＡＳ番号が自装置以外の場合は、該論理ＲＡＳ番号で指定されたＲＡＳ装置との間でＲＡＳ間通信を行い、論理リンク番号で指定された論理リンクリソースを介して端末装置とＩＳＰサーバ装置３間のデータ通信を中継する。
【００４２】
論理リンク検索要求には、ＲＡＳ装置が使用する物理リンク番号、ＣＩＤ、端末装置の発信電話番号等の情報が含まれる。また、論理リンク検索応答には、物理リンク番号、ＣＩＤ、論理ＲＡＳ番号、論理リンク番号、無通信監視タイマ、データリンク保持タイマ等が含まれる。
【００４３】
さらに、ＲＡＳ装置は、端末装置とＩＳＰサーバ装置３間のデータ通信が終了すると、コネクション管理サーバ装置４に対して該端末装置に対応して使用していた論理リンクリソースを解放するための論理リンク解放要求を送信する。
【００４４】
コネクション管理サーバ装置４は、ＲＡＳ装置から論理リンク解放要求を受けとると、該論理リンク解放要求に含まれるＣＩＤ（ARIB STD-T78 中の CID）を用いてＲＡＳ毎論理リンクリソース情報を検索し、該ＲＡＳ装置が使用していた論理リンクリソースの状態を「解放」に更新すると共に、該論理リンクリソースを解放させるための論理リンク解放応答を返送する。なお、実際の論理リンクリソースの解放はＲＡＳ装置側で行う。
【００４５】
論理リンク解放要求には、信号送信元識別子（物理リンク番号または論理リンク番号）、ＣＩＤ、端末装置の発信電話番号等の情報が含まれる。また、論理リンク解放応答には信号送信元識別子が含まれる。
【００４６】
表１は、上述したＲＡＳ装置とコネクション管理サーバ装置４間で送受信される各種制御信号とその制御信号に含まれる情報をまとめて示したものである。
【００４７】
【表１】
0003908589.tif 000002
【００４８】
なお、表１では基本的なアイテムのみ記載しているが、例えば、論理リンク解放要求中にインターネット網６のトラヒック情報を付与し、コネクション管理サーバ装置４にて該情報を蓄積することにより、通信システム全体のトラヒック情報を管理することが可能になる。
【００４９】
次に、本発明の通信システムの動作について、図面を用いて詳細に説明する。
【００５０】
まず、端末装置１1からＲＡＳ装置２1へ新規に接続し、かつＲＡＳ間通信を行わない場合の通信システムの動作について説明する。図４は、図１に示した端末装置からＲＡＳ装置へ新規に接続し、かつＲＡＳ間通信を行わない場合の通信システムの動作を示す模式図である。
【００５１】
図４に示すように、データリンク起動側（端末装置１1）からデータリンク被起動側（ＲＡＳ装置２1）へ回線交換網５を介して新規な着呼があると、ＲＡＳ装置２1はコネクション管理サーバ装置４へ上述した論理リンク捕捉要求を送信する。
【００５２】
コネクション管理サーバ装置４は、自装置のデータ蓄積装置に記録されたＲＡＳ毎論理リンクリソース情報を参照してＲＡＳ装置２1の空き論理リンクリソースを捕捉し、捕捉した空き論理リンクリソースの論理リンク番号を含む論理リンク捕捉応答をＲＡＳ装置２1へ返送する。また、コネクション管理サーバ装置４は、ＲＡＳ毎論理リンクリソース情報を更新し、捕捉した空き論理リンクリソースを「使用状態」に変更する。
【００５３】
次に、端末装置１1からＲＡＳ装置２1へ新規に接続し、かつＲＡＳ間通信を行う場合の通信システムの動作について説明する。図５は、図１に示した端末装置からＲＡＳ装置へ新規に接続し、かつＲＡＳ間通信を行う場合の通信システムの動作を示す模式図である。
【００５４】
図５に示すように、データリンク起動側（端末装置１1）からデータリンク被起動側（ＲＡＳ装置２1）へ回線交換網５を介して新規な着呼があると、ＲＡＳ装置２1はコネクション管理サーバ装置４に上述した論理リンク捕捉要求を送信する。
【００５５】
コネクション管理サーバ装置４は、自装置のデータ蓄積装置に記録されたＲＡＳ毎論理リンクリソース情報を参照して空き論理リンクリソースを捕捉し、捕捉した空き論理リンクリソースの論理リンク番号を含む論理リンク捕捉応答をＲＡＳ装置２1へ返送する。また、コネクション管理サーバ装置４は、ＲＡＳ毎論理リンクリソース情報を更新し、捕捉した空き論理リンクリソースを「使用状態」に変更する。
【００５６】
ここでは、ＲＡＳ装置２1に空き論理リンクリソースが無いため、ＲＡＳ装置２1と同一グループのＲＡＳ装置２2が有する空き論理リンクリソースが捕捉される。この場合、論理リンク捕捉応答に含まれる論理ＲＡＳ番号はＲＡＳ装置２2を示しているため、ＲＡＳ装置２1は、ＲＡＳ装置２2とＲＡＳ間通信を行い、ＲＡＳ装置２2の空き論理リンクリソースを用いてインターネット網６へアクセスし、端末装置１1とＩＳＰサーバ装置３間のデータ通信を中継する。
【００５７】
次に、端末装置１1がドーマント状態のときの通信システムの動作について説明する。図６は図１に示した端末装置がドーマント状態のときの通信システムの動作を示す模式図である。
【００５８】
図６に示すように、データリンク起動側（端末装置１1）がドーマント状態に遷移すると、データリンク被起動側（ＲＡＳ装置２1）は、端末装置１1とＲＡＳ装置２1間の物理リンクリソースを切断し、インターネット網６と接続された論理リンクリソースの接続はそのまま維持する。
【００５９】
次に、端末装置１1からＲＡＳ装置２1へ再接続し、かつＲＡＳ間通信を行わない場合の通信システムの動作について説明する。図７は、図１に示した端末装置からＲＡＳ装置へ再接続し、かつＲＡＳ間通信を行わない場合の通信システムの動作を示す模式図である。
【００６０】
図７に示すように、データリンク起動側（端末装置１1）がドーマント状態からアクティブ状態へ復帰すると、端末装置１1は回線交換網５を介してデータリンク被起動側（ＲＡＳ装置）へ再着呼する。ここでは、端末装置１1がドーマント状態以前に着呼していたＲＡＳ装置２1へ再着呼したとする。
【００６１】
このとき、ＲＡＳ装置２1はコネクション管理サーバ装置４に上述した論理リンク検索要求を送信する。
【００６２】
コネクション管理サーバ装置４は、論理リンク検索要求と共に送信されたＣＩＤを用いてデータ蓄積装置に記録されたＲＡＳ毎論理リンクリソース情報を検索し、ＣＩＤに一致する論理リンクリソースに対応する論理リンク番号を含む論理リンク検索応答をＲＡＳ装置２1へ返送する。
【００６３】
ＲＡＳ装置２1は論理リンク検索応答に含まれる論理リンク番号で指定された自装置の論理リンクリソースを使用して端末装置１1とＩＳＰサーバ装置３間のデータ通信の中継を再開する。
【００６４】
次に、端末装置１1からＲＡＳ装置２2へ再接続し、かつＲＡＳ間通信を行う場合の通信システムの動作について説明する。図８は、図１に示した端末装置からＲＡＳ装置へ再接続し、かつＲＡＳ間通信を行う場合の通信システムの動作を示す模式図である。
【００６５】
図８に示すように、端末装置１1がドーマント状態からアクティブ状態に復帰すると、端末装置１1は回線交換網５を介してデータリンク被起動側（ＲＡＳ装置）へ再着呼する。ここでは、端末装置１1がドーマント状態以前に着呼していないＲＡＳ装置２2へ再着呼したとする。
【００６６】
このとき、ＲＡＳ装置２2はコネクション管理サーバ装置４へ上述した論理リンク検索要求を送信する。
【００６７】
コネクション管理サーバ装置４は、論理リンク検索要求と共に送信されたＣＩＤを用いてデータ蓄積装置に記録されたＲＡＳ毎論理リンクリソース情報を検索し、ＣＩＤに一致する論理リンクリソースに対応する論理ＲＡＳ番号及び論理リンク番号を含む論理リンク検索応答をＲＡＳ装置２2へ返送する。
【００６８】
ＲＡＳ装置２2は、論理リンク捕捉応答に含まれる論理ＲＡＳ番号がＲＡＳ装置２1を示しているため、ＲＡＳ装置２1とＲＡＳ間通信を行い、ＲＡＳ装置２1の論理リンク番号で指定された論理リンクリソースを用いてインターネット網６へアクセスし、データリンク起動側（端末装置１1）とＩＳＰサーバ装置３間のデータ通信を中継する。
【００６９】
最後に、端末装置１がデータ通信を終了したときの通信システムの動作について説明する。図９は図１に示した端末装置がデータ通信を終了したときの通信システムの動作を示す模式図である。
【００７０】
図９に示すように、データリンク起動側（端末装置１1）とＩＳＰサーバ装置３間のデータ通信が終了すると、端末装置１1からの回線切断要求によりＲＡＳ装置２1はコネクション管理サーバ装置４へ論理リンク解放要求を送信する。
【００７１】
コネクション管理サーバ装置４は、ＲＡＳ装置２1から論理リンク解放要求を受けとると、論理リンク解放要求に含まれるＣＩＤを用いてデータ蓄積装置に記録されたＲＡＳ毎論理リンクリソース情報を検索し、該ＣＩＤに対応する論理リンクリソースを「解放状態」に更新する。また、該論理リンクリソースを解放させるための論理リンク解放応答をＲＡＳ装置２1へ返送する。ＲＡＳ装置２1は、ＩＳＰサーバ装置３と接続された論理リンクリソースを解放する。
【００７２】
以上説明したように、本発明の通信システムによれば、端末装置から論理リンクリソースの空きがないＲＡＳ装置へ着呼しても、コネクション管理サーバ装置４から提供される情報により空き論理リンクリソースのあるＲＡＳ装置を介してインターネット網へ接続することができるため、ドーマント機能導入後の呼損率を大幅に低減できる。
【００７３】
また、複数のＲＡＳ装置をグループ分けし、該グループ単位で論理リンクリソースや各種タイマを管理し、グループ内で論理リンクリソースを共有することで、ＲＡＳ装置の論理リンクリソース不足による呼損を軽減できる。特に、比較的小規模な論理リンクリソースを備えた複数のＲＡＳ装置をグルーピングすることで、大規模な論理リンクリソースを備えたＲＡＳ装置に匹敵する回線の収容能力を実現できる。
【００７４】
なお、コネクション管理サーバ装置４に記録された情報を利用することで、例えばデータリンク起動側の接続状況を表示することが可能になる。また、料金未払いや長時間接続したままの呼等、システム管理者が解放させたい特定の呼の切断も可能になる。
【００７５】
【発明の効果】
本発明は以上説明したように構成されているので、以下に記載する効果を奏する。
【００７６】
複数のデータリンク被起動側装置がそれぞれ備える論理リンクリソースの情報を一括管理し、データリンク起動側装置からデータリンク被起動側装置へ新規な着呼があった場合は、空いている論理リンクリソース及び該論理リンクリソースを備えたデータリンク被起動側装置を示す情報を新規な着呼があったデータリンク被起動側装置へ提供し、ドーマント状態からアクティブ状態へ復帰したデータリンク起動側装置からデータリンク被起動側装置へ再着呼があった場合は、ドーマント状態になる前に該データリンク起動側装置に対応して確保されていた論理リンクリソース及び該論理リンクリソースを備えたデータリンク被起動側装置を示す情報を再着呼があったデータリンク被起動側装置へ提供するコネクション管理サーバ装置を有することで、データリンク起動側装置から論理リンクリソースの空きがないデータリンク被起動側装置へ着呼しても、コネクション管理サーバ装置から提供される情報により空き論理リンクリソースのあるデータリンク被起動側装置を介してインターネット網へ接続することができるため、ドーマント機能導入後の呼損率を大幅に低減できる。
【００７７】
特に、複数のデータリンク被起動側装置をグループ分けし、データリンク起動側装置からデータリンク被起動側装置へ新規な着呼があった場合は、該データリンク被起動側装置が空いている論理リンクリソースを備えていないときに、新規な着呼があったデータリンク被起動側装置と同一グループ内の空いている論理リンクリソース及び該論理リンクリソースを備えたデータリンク被起動側装置を示す情報を新規な着呼があったデータリンク被起動側装置へ提供することで、グループ内で論理リンクリソースを共有することができるため、データリンク被起動側装置の論理リンクリソース不足による呼損を軽減できる。特に、比較的小規模な論理リンクリソースを備えた複数のデータリンク被起動側装置をグルーピングすることで、大規模な論理リンクリソースを備えたデータリンク被起動側装置に匹敵する回線の収容能力を実現できる。
【図面の簡単な説明】
【図１】本発明の通信システムの一構成例を示すブロック図である。
【図２】図１に示したコネクション管理サーバ装置の一構成例を示すブロック図である。
【図３】図１に示したコネクション管理サーバ装置が有するデータ蓄積装置に記録される情報の一構成例を示す模式図である。
【図４】図１に示した端末装置からＲＡＳ装置へ新規に接続し、かつＲＡＳ間通信を行わない場合の通信システムの動作を示す模式図である。
【図５】図１に示した端末装置からＲＡＳ装置へ新規に接続し、かつＲＡＳ間通信を行う場合の通信システムの動作を示す模式図である。
【図６】図１に示した端末装置がドーマント状態のときの通信システムの動作を示す模式図である。
【図７】図１に示した端末装置からＲＡＳ装置へ再接続し、かつＲＡＳ間通信を行わない場合の通信システムの動作を示す模式図である。
【図８】図１に示した端末装置からＲＡＳ装置へ再接続し、かつＲＡＳ間通信を行う場合の通信システムの動作を示す模式図である。
【図９】図１に示した端末装置がデータ通信を終了したときの通信システムの動作を示す模式図である。
【符号の説明】
１1〜１m    端末装置
２1〜２n    ＲＡＳ装置
３    ＩＳＰサーバ装置
４    コネクション管理サーバ装置
５    回線交換網
６    インターネット網
１０    処理装置
１１    ＣＰＵ
１２    主記憶装置
１３    記録媒体
１４    データ蓄積装置
１５    メモリ制御インタフェース部
１６    Ｉ／Ｏインタフェース部
１７    通信制御装置
１８    バス
２０    入力装置
３０    出力装置
【図１】
0003908589.tif 000003
【図２】
0003908589.tif 000004
【図３】
0003908589.tif 000005
【図４】
0003908589.tif 000006
【図５】
0003908589.tif 000007
【図６】
0003908589.tif 000008
【図７】
0003908589.tif 000009
【図８】
0003908589.tif 000010
【図９】
0003908589.tif 000011